(57)【要約】【課題】蓋部外側面にサブ液晶表示部を有する折畳み型携帯電話において、ＬＥＤなどの発光手段を増やすことなく、サブ液晶表示部周辺の発光範囲を拡大する。【解決手段】蓋部背面部１０２ａでは、折畳み状態において電波受信状況や掛かってきた相手をサブ液晶表示部１０４により確認できるようになっている。蓋部１０２の筐体内には、サブ液晶表示部１０４を囲むように形成された導光板が配置され、この導光板の側面からＬＥＤの光を入射することで導光板が均一に発光する。そして、背面部１０２ａにおける導光板の発光範囲１０５が透明体で構成されているため、着信時に導光板にＬＥＤの光を入射すると、サブ液晶表示部１０４の周囲から光が出力される。【選択図】図１
2008017402.tif 000002
【特許請求の範囲】
【請求項１】
電話機本体に対して開閉自在に連結された蓋部を備え、該蓋部の内側面だけでなく外側面にも表示機能を持つ折畳み型携帯電話端末において、
前記蓋部の内部に、前記蓋部の外側面に向けて情報表示する表示パネルと、該表示パネルを露出させる窓穴が開けられた導光板と、該導光板の側面に向けて光を発光する発光素子とを有し、前記蓋部の外側面の、前記導光板の発光範囲に対応する部分が光透過性素材で構成されていることを特徴とする折畳み型携帯電話端末。
【請求項２】
前記表示パネルを露出させる窓穴が設けられた反射板を有し、該反射板が前記導光板の前記表示パネル側の面に配置されていることを特徴とする請求項１に記載の折畳み型携帯電話端末。
【請求項３】
前記表示パネルと前記発光素子の制御回路とを実装する回路基板をさらに備えたことを特徴とする請求項１または２に記載の折畳み型携帯電話端末。
【請求項４】
前記表示パネルは液晶表示パネルである請求項１から３のいずれかに記載の折畳み型携帯電話端末。
【請求項５】
前記発光素子がＬＥＤであって、前記導光板の側方に複数配置されている請求項１から４のいずれかに記載の折畳み型携帯電話端末。
【発明の詳細な説明】
【技術分野】
【０００１】
本発明は、折畳み型携帯電話端末の発光部に関する。
【背景技術】
【０００２】
携帯電話端末は、使い勝手の良さから、キー操作部を含む電話機本体と表示部を含む蓋部とが二つ折りに重ね合わせられる折畳み型が主流となっている。折畳み型携帯電話は、電話機本体上面に重ねた蓋部を開くと蓋部内側面のメイン液晶画面を見られる構造になっている。特に、最近の折畳み型携帯電話は、折畳んだ状態でも電波受信状況や掛かってきた相手を確認できるように蓋部外側面（蓋部背面）のサブ液晶画面を備えたものが殆どである。また、外部からの着信があった場合はサブ液晶画面の着信表示とともに、ＬＥＤなどの発光手段の発光により着信を視覚的に知らせている。
【０００３】
一方、着信を知らせるための発光エリアについてみると、蓋部外側面の比較的小さな一ヶ所を光らせる端末が多い。しかしながら、最近では着信時の発光によるエンターテイメント性を高めるために、発光する範囲を大きくしている端末が発売されている。
【０００４】
発光する範囲を大きくするためにはＬＥＤを多数使用することで容易に実現できるが、部品コストが高くなってしまう。これに対し、導光板を用いた点灯方式ではコストを抑えて構成できることが知られている（特許文献１）。しかし、従来の折畳み型携帯電話ではサブ液晶画面によって導光板の大きさが制限を受けてしまい、サブ液晶表示部の適用と発光範囲を拡大することとの両立が困難であった。これについて図３を参照して説明する。
【０００５】
図３は、従来の折畳み型携帯電話のヒンジ部品３０１を折畳んだ状態における、サブ液晶表示部３０２を備えた蓋部３０３の背面側を示す図である。この図に示すように、ＬＥＤ３０４ａ，３０４ｂによる導光板の発光範囲３０５は、サブ液晶表示部３０２の配置位置により大きさが制限されてしまうため、発光範囲を大きく広げることができない。
【特許文献１】特開２００１−２９２２０６号公報
【発明の開示】
【発明が解決しようとする課題】
【０００６】
本発明は、上記従来技術の課題に鑑みてなされたものであり、その目的は、蓋部外側面にサブ液晶表示部を有する折畳み型携帯電話において、ＬＥＤなどの発光手段を増やすことなく、サブ液晶表示部周辺の発光範囲を拡大することにある。
【課題を解決するための手段】
【０００７】
本発明は、電話機本体に対して開閉自在に連結された蓋部を備え、該蓋部の内側面だけでなく外側面にも表示機能を持つ折畳み型携帯電話端末に関する。そして、上記課題を解決するために、上記の蓋部の内部に、蓋部の外側面に向けて情報表示する表示パネルと、該表示パネルを露出させる窓穴が開けられた導光板と、該導光板の側面に向けて光を発光する発光素子とを有する。さらに、蓋部の外側面の、導光板の発光範囲に対応する部分が光透過性素材で構成されている。
【０００８】
このような構成では、導光板に表示パネルを露出させる窓穴を開けたことにより、表示パネルの周囲に導光板を配置できるので、蓋部の外側面の表示部周辺の発光範囲が広がる。これにより、着信時の発光によるエンターテイメント性を一層高めることが可能になる。
【０００９】
また、上記のような携帯電話端末において、表示パネルを露出させる窓穴が設けられた反射板を有し、該反射板が、導光板の表示パネル側の面に配置されていることが好ましい。
【００１０】
さらに、表示パネルと発光素子の制御回路とを実装する回路基板をさらに備えたものが考えられる。また、表示パネルには液晶表示パネルを、発光素子にはＬＥＤを用いることができる。
【発明の効果】
【００１１】
以上説明したとおりの本発明によれば、蓋部の内側面だけでなく外側面にも表示機能を持つ折畳み型携帯電話端末において、ＬＥＤなどの発光手段を増やすことなく、蓋部外側面の表示部周辺の発光範囲を拡大することができる。
【発明を実施するための最良の形態】
【００１２】
以下、本発明の実施の形態について図面を参照して説明する。
【００１３】
図１は本発明の実施形態による折畳み状態の携帯電話を、サブ液晶表示部を備えた蓋部の斜め上方から見た外観図である。図２は、図１に示した、サブ液晶表示部を備えた蓋部の分解図である。但し、図２には本発明に関連する部分のみを示している。
【００１４】
図１に示すように、本実施形態の携帯電話端末は、キー操作部を含む電話機本体１０１（第一の筐体）と、表示部を含む蓋部１０２（第二の筐体）とがヒンジ１０３により二つ折りに重ね合わせられる折畳み型となっている。蓋部１０２の背面部１０２ａにはカメラ用レンズ１０６が設けられ、これにより、電話機本体１０１に対して蓋部１０２を開いた状態で、カメラ用レンズ１０６による画像を蓋部前面（内側面）の不図示のメイン液晶画面で見ながら撮影可能になっている。
【００１５】
蓋部の背面部（外側面）１０２ａは、折畳み状態において電波受信状況や掛かってきた相手をサブ液晶表示部１０４により確認できるようになっている。そして、その背面部１０２ａにおけるサブ液晶表示部１０４の周囲（図中斜線部）が着信時などに発光する。なお、図中の点線は、後述する導光板の発光範囲１０５を示している。
【００１６】
さらに、図２を参照して詳述すると、蓋部１０２は、開いた状態において電話機の前面側となる不図示のフロントケースと、開状態で電話機の背面側となるリアケース２０１とを接合してなる筐体である。
【００１７】
蓋部１０２の内部には、リアケース２０１に近い側から順番に、ＬＥＤ用基板２０８、ホルダー２１０、回路基板２１４が配設されている。
【００１８】
回路基板２１４のリアケース２０１側の面には、カメラ２１１やサブ液晶パネル２１２、およびＬＥＤ２０５ａ〜２０５ｄの点灯制御を行うＬＥＤ制御回路２１３と、ＬＥＤ用基板２０８と接続するためのコネクタ２０６ａが実装されている。このような回路基板２１４はホルダー２１０と固定される。
【００１９】
ホルダー２１０には、回路基板２１４上のサブ液晶パネル２１２を露出させるサブ液晶表示用窓穴２０９が開口している。
【００２０】
ホルダー２１０のリアケース２０１側の面には、ＬＥＤ基板２０８、反射板２０４、導光板２０３がこの順番で積層されて固定されている。ＬＥＤ基板２０８、反射板２０４、導光板２０３の夫々には、サブ液晶パネル２１２の表示内容を視認できるように、サブ液晶表示用窓穴２０７が設けられている。
【００２１】
ＬＥＤ用基板２０８にはＬＥＤ２０５ａ〜２０５ｄが実装されると共に、基板接続用のコネクタ２０６ｂが実装されている。ＬＥＤ用基板２０８に実装されたコネクタ２０６ｂは、回路基板２１４に実装されたコネクタ２０６ａと接続され、ＬＥＤ点灯回路が構成される。
【００２２】
ＬＥＤ２０５ａ〜２０５ｄの光を効率良く導光板２０３に入力するために、各ＬＥＤ２０５ａ，２０５ｂ，２０５ｃ，２０５ｄの発光面は導光板２０３と水平な方向に対向し、各ＬＥＤ２０５は導光板２０３の側面の近くに配置される。また、図中の下方向への光の漏れを無くすために、反射板２０４が導光板２０３とＬＥＤ基板２０８の間に配置されている。
【００２３】
ＬＥＤ２０５ａ〜２０５ｄが発光すると、光は導光板２０３の側面から入射し、導光板２０３内に広がることで導光板２０３の全体を均一に光らせることになる。そして、導光板２０３の発光は確認窓２０２を通してリアケース２０１の外部に出力される。
【００２４】
リアケース２０１における確認窓２０２は、導光板２０３からの光をケース外部に透過できるように、導光板２０３の発光範囲（導光板２０３の４辺で囲まれる範囲）に対応する部分を光透過性素材で構成したものである。この光透過性素材は透明体が考えられ、サブ液晶パネル２１２の表示色や導光板２０３の発光色を変えない場合は無色・透明な材料であることが好ましい。
【００２５】
以上の構成において、ユーザは、サブ液晶パネル２１２の表示内容を、窓穴２０９と２０７、および確認窓２０２を通して確認することができる。
【００２６】
一方、着信が検出された場合、ＬＥＤ制御回路２１３からの信号によりＬＥＤ２０５ａ〜２０５ｄが点灯制御される。ＬＥＤ２０５ａ〜２０５ｄの光は上述したように、導光板２０３を経由し確認窓２０２を通してリアケース２０１の外部に出力される。
【００２７】
なお、ＬＥＤ２０５ａ〜２０５ｄの発光色は単色でも良いが、Ｒｅｄ／Ｇｒｅｅｎ／Ｂｌｕｅなどの多色ＬＥＤを使用して制御を行うことで、発光時の色を多彩に変えることも可能である。
【００２８】
また、図２に示した部品を組み立てた折畳み型携帯電話の外観図が図１である。この図に示すように、電話機が着信などを検出した際、サブ液晶表示部１０４で表示内容が確認できるとともに、サブ液晶表示部１０４周囲（図中斜線部）が発光する。つまり、蓋部背面部１０２ａにサブ液晶表示部１０４を有する折畳み型携帯電話であっても、背面部１０２の広範囲が発光し、着信時の発光によるエンターテイメント性を高めることができる。
【００２９】
尚、本発明の携帯電話の発光部に採用した導光板方式は、発光範囲をＥＬライトで照光する方式と比べて、回路構成が簡単にできるという利点もある。ＥＬライトに必要な昇圧回路が不要になるからである。
【図面の簡単な説明】
【００３０】
【図１】本発明の実施形態による折畳み状態の携帯電話を、サブ液晶表示部を備えた蓋部の斜め上方から見た外観図である。
【図２】本発明の実施形態による折畳み型携帯電話における、サブ液晶表示部を備えた蓋部の分解図である。
【図３】従来の折畳み型携帯電話のヒンジを折畳んだ状態における、サブ液晶表示部を備えた蓋部背面側を示す図である。
【符号の説明】
【００３１】
１０１    電話機本体
１０２    蓋部
１０２ａ    背面部
１０３    ヒンジ
１０４    サブ液晶表示部
１０５    導光板の発光範囲
１０６    カメラ用レンズ
２０１    リアケース
２０２    確認窓
２０３    導光板
２０４    反射板
２０５ａ〜２０５ｄ    ＬＥＤ
２０６ａ、２０６ｂ    コネクタ
２０７、２０９    サブ液晶表示用窓穴
２０８    ＬＥＤ用基板
２１０    ホルダー
２１１    カメラ
２１２    サブ液晶パネル
２１３    ＬＥＤ制御回路
２１４    回路基板
【図１】
2008017402.tif 000003
【図２】
2008017402.tif 000004
【図３】
2008017402.tif 000005